(57)【要約】【課題】  ブレード１３によって発生する風による刈り草の搬出に障害が出ないようにしながら、ハウジング外に出るブレード１３の風切音を低減することができるようにする。【解決手段】  ハウジング１２の内部のブレード１３の回転支軸１５の周囲に吸音材３０を設けてある。【選択図】        図４
2005270023.tif 000002
【特許請求の範囲】
【請求項１】
ハウジングの内部にブレードを機体上下向きの回転支軸によって駆動回動自在に設けたモーアであって、
前記ハウジングの内部の前記回転支軸の周囲に吸音材を設けてあるモーア。
【請求項２】
前記吸音材を収容するカバーを設けてある請求項１記載のモーア。
【発明の詳細な説明】
【技術分野】
【０００１】
本発明は、ハウジングの内部にブレードを機体上下向きの回転支軸によって駆動回動自在に設けたモーアに関する。
【背景技術】
【０００２】
上記モーアにおいて、従来、例えば本出願人が出願した特願２００２−２８９９２４号に示されるように、ハウジングの内面側にシート状制振材を貼設したものがあった。
【発明の開示】
【発明が解決しようとする課題】
【０００３】
上記モーアにあっては、回動するブレードによる風切音のために騒音が大きくなる。この騒音の低減を発泡ウレタンなどの吸音材によって行なうに当たり、ハウジング内面に貼設する上記技術を採用すると、ハウジング内の刈り草や刈り芝の排出通路が吸音材のために狭くなりがちであった。吸音材にあっては制振材に比して嵩高になりがちであることにより、殊に騒音低減が効果的に得られるようにすると嵩が著しく高くなることにより、排出通路が狭くなっていた。
【０００４】
本発明の目的は、上記問題発生を回避しながら吸音材によって騒音低減を行なうことができるモーアを提供することにある。
【課題を解決するための手段】
【０００５】
本第１発明にあっては、ハウジングの内部にブレードを機体上下向きの回転支軸によって駆動回動自在に設けたモーアにおいて、前記ハウジングの内部の前記回転支軸の周囲に吸音材を設けてある。
【０００６】
すなわち、刈り草や刈り芝はブレードの回動によって発生する風によってハウジング内を移送され、ブレードの回転支軸の付近を通らないで排出される。ブレードの回転支軸の周囲に吸音材を設けてあるものだから、吸音材が刈り草や刈り芝の排出通路に入り込んでこの排出通路が狭くなることがないようにしながら、ブレードによって発生する風切音の音波が吸音材によって吸収されてハウジング外に出る騒音を低減することができる。
【０００７】
従って、本第１発明によれば、吸音材によって騒音低減を行なって極力静かに作業することができるものでありながら、刈り草や刈り芝が吸音材による障害を受けないで流動してスムーズにハウジング外に排出されるようになる。
【０００８】
本第２発明にあっては、本第１発明の構成において、前記吸音材を収容するカバーを設けてある。
【０００９】
すなわち、ハウジング内で石などが飛び跳ねることがあっても、カバーのために吸音材には当たらないとか当たりにくくて吸音材が破損しなくなる。
【００１０】
従って、本第２発明によれば、ハウジング内で石などが飛び跳ねても吸音材が破損や損傷しないように耐久性の富んだものになる。
【発明を実施するための最良の形態】
【００１１】
以下、本発明の実施例を図面に基づいて説明する
図１に示すように、左右一対の操向及び駆動自在な前車輪１、左右一対の駆動自在な後車輪２、エンジン３を有した原動部、この原動部の後方に位置する運転座席４が装備された運転部、前記エンジン３からの駆動力を静油圧式の無段変速装置（図示せず）によって前進や後進駆動力に変換するとともに前進側においても後進側においても無段階に変速して前後輪１，２に伝達する走行駆動装置５を備えた自走車体の車体フレーム６の前後輪間に、リンク機構７を介してモーア１０を連結するとともに、前記走行駆動装置５の動力取り出し軸５ａから回転軸８を介してモーア１０の入力軸２１に動力伝達するように構成して、乗用型草刈り機を構成してある。
【００１２】
すなわち、前記リンク機構７の後部リンク７ａをリフトシリンダ（図示せず）によって上下に揺動操作すると、リンク機構７が昇降操作されてモーア１０をゲージ輪１１が地面上に接地した下降作業状態と、ゲージ輪１１が地面上から浮上した上昇非作業状態とに昇降操作する。モーア１０を下降作業状態にして自走車体を走行させると、モーア１０がハウジング１２の内部に位置するブレード１３によって草刈りや芝刈り処理を行なっていく。
【００１３】
モーア１０についてさらに詳述すると、図３，４，５に示すように、モーア１０は、天板１２ａ、この天板１２ａの周囲に連設された側壁板１２ｂ、前記天板１２ａの内面側に連設されたバキュームプレート１２ｃなどを有した前記ハウジング１２、このハウジング１２の内部の機体横方向に並ぶ複数箇所に設けた前記ブレード１３、前記ハウジング１２の前記天板１２ａの上面側に設けた駆動機構２０を備えて構成してある。
【００１４】
図４などに示すように、前記各ブレード１３は、天板１２ａにボルト連結された支軸ホルダー１４、この支軸ホルダー１４を回転自在に挿通しているとともに下端側がブレード１３の中間に対して一体回動自在に連結した機体上下向きの回転支軸１５を介して天板１２ａに回転自在に支持されている。
【００１５】
図２，４に示すように、前記駆動機構２０は、前記入力軸２１を回転自在に備えた入力兼伝動ケース２２、前記複数枚のブレード１３のうちの機体横方向での中央に位置するブレード１３の前記回転支軸１５と、前記入力軸２１とを連動させるように構成して前記入力兼伝動ケース２２の内部に設けたベベルギヤ機構２３、各ブレード１３の前記回転支軸１５の前記天板１２ａの上面側に位置する部位に一体回転自在に連結されたベルトプーリ２４、天板１２ａの上面側に設けたガイド兼テンションプーリ２５にわたって巻回された伝動ベルト２６を備えて構成してある。
【００１６】
図４に示すように、ハウジング１２の内部の機体中央部に位置するブレード１３を支持する部位に吸音発泡ウレタン３０、及び、この吸音発泡ウレタン３０を収容するカバー３１を設けてある。
【００１７】
吸音発泡ウレタン３０は、ブレード１３の回転支軸１５の全周囲にわたって位置するように支軸ホルダー１４に外嵌する筒形に構成してある。カバー３１は、筒形のカバー本体３１ａ、及び、このカバー本体３１ａの下端部に連結するとともに回転支軸１５が挿通する支軸孔３２を有した連結板部３１ｂを備えて構成してあり、連結板部３１ｂがブレード１３との共締めによって回転支軸１５に締め付け連結されることによって回転支軸１５に一体回転自在に支持されるようになっている。また、カバー本体３１ａで吸音発泡ウレタン３０を収容することによってこの吸音発泡ウレタン３０をこれの全周囲にわたって覆うようになっている。カバー３１の前記カバー本体３１ａに、このカバー本体３１ａの上下方向及び周方向に並ぶ複数の貫通孔３３を設けてある。各貫通孔３３は、回動するブレード１３のために発生する風切音の音波を吸音発泡ウレタン３０に入り込みやすくしている。カバー３１としては、カバー本体３１ａの外径Ｄ１がブレード１３の外径Ｄ２の約２／３の大きさになるまでの大きさを有するものを採用しても、ブレード１３によって発生する風による刈り草や刈り芝の搬送を支障なく行なえる。
【００１８】
前記機体中央部のブレード１３以外の外側のブレード１３を支持する部位にも吸音発泡ウレタン３０、及び、この吸音発泡ウレタン３０を収容するカバー３１を設けてある。この外側ブレード１３に対応する吸音発泡ウレタン３０、及びカバー３１も、中央部ブレード１３に対応する吸音発泡ウレタン３０及びカバー３１と同様に構成してあり、外側ブレード１３に対応する吸音発泡ウレタン３０及びカバー３１についての詳細な説明は省略する。
【００１９】
これにより、モーア１０は、エンジン３から走行駆動装置５及び回転軸８を介して入力軸２１に伝達された駆動力をベベルギヤ機構２３を介して機体中央部のブレード１３の回転支軸１５に、伝動ベルト２６を介してその他のブレード１３の回転支軸１５にそれぞれ伝達して各回転支軸１５を駆動し、各ブレード１３をこれに連結する回転支軸１５によって回転支軸１５の機体上下向きの軸芯まわりで回転駆動し、各ブレード１３によって草や芝を切断する。そして、回転する各ブレード１３によって発生する風切音の音波を吸音発泡ウレタン３０によって吸収させながら、各ブレード１３の起風フィン１３ａによって風を発生させ、この風によって刈り草や刈り芝をハウジング１２の内部をハウジング１２の横一端側に位置する図２，３の如き排出口１６に向けて流動させてこの排出口１６からハウジング１２の外部に排出する。また、回転するブレード１３のためにハウジング１２の内部に石などが飛び跳ねることがあっても、カバー３１によって吸音発泡ウレタン３０に当たることを回避しながら刈取り処理を行なっていく。
【００２０】
〔別実施形態〕
吸音発泡ウレタン３０に替えて、吸音コルクや吸音綿などを採用しても本発明の目的を達成することができるのであり、これら発泡ウレタン３０、吸音コルク、吸音綿などを総称して吸音材３０と呼称する。
【図面の簡単な説明】
【００２１】
【図１】乗用型草刈り機全体の側面図
【図２】モーアの平面図
【図３】モーアの底面図
【図４】モーアの中央ブレード配設部の断面図
【符号の説明】
【００２２】
１２        ハウジング
１３        ブレード
１５        回転支軸
３０        吸音材
３１        カバー
【図１】
2005270023.tif 000003
【図２】
2005270023.tif 000004
【図３】
2005270023.tif 000005
【図４】
2005270023.tif 000006